(57)【要約】【課題】  熱可塑性の包装用シートを熱収縮包装するための熱処理において長時間に亘り高温に曝された場合にも樹脂部材の溶融による破損が生じない遊技機を提供する。【解決手段】  外周に被着された熱可塑性の包装用シートＳを熱収縮させる熱処理において高温に曝される役物カバー８５やメイン基板ボックス８２等が耐熱性樹脂により構成されているので、包装装置のトラブル等に起因してこれらの部材が長時間に亘って高温に曝された場合でも溶融して破損することがない。【選択図】        図８
2005168519.tif 000002
【特許請求の範囲】
【請求項１】
熱可塑性の包装用シートによる熱収縮包装が施される遊技機であって、
外周に被着された前記包装用シートを熱収縮させる熱処理において高温に曝される一つ又は複数の樹脂部材の少なくとも一部を耐熱性樹脂により構成したことを特徴とする遊技機。
【発明の詳細な説明】
【技術分野】
【０００１】
本発明は、パチンコ機等の遊技機、特に、不正改造防止を考慮した熱収縮包装が施される遊技機に関する。
【背景技術】
【０００２】
従来、パチンコ機等の遊技機の出荷には、遊技機全体をホールに納入する形態と、いわゆる板替えの際に遊技板をホールに納入する形態とがあるが、遊技機全体を製造して納入する場合、遊技機の製造ラインにて、遊技機全体を製造し、製造した遊技機の遊技板や基板ボックスやＲＯＭに証紙を貼付した後、不正改造防止のため遊技機全体をビニール袋に密封するように袋詰めされている（例えば、特許文献１参照。）。
【０００３】
しかしながら、遊技機全体を包装したビニール袋を開封して遊技機を取り出し、制御装置に不正改造を行った後、ビニール袋内に遊技機を戻し、ビニール袋の開封部分を何らかの方法によって塞ぐなどの細工が行われた場合は、元の包装状態と殆ど見分けが付かない場合も生じうるという問題が指摘されている。
【０００４】
一方、不正改造防止とパチンコ機の外径寸法の確認作業容易化の観点から、内枠と外枠とから構成されるパチンコ機の内枠のみを封印包装して外枠と共に配送可能としたパチンコ機の包装方法が提案されている。具体的には、（１）伸縮性の有るビニールシートを伸張して内枠の機能、製品に支障のない強度で制御装置部分に横方向に巻きつけ、巻きつけた箇所を接着材や熱溶着、又はパチンコ機メーカのロゴ等が明示されているテープなどで封印包装する方法、（２）内枠全体を袋状のシートに上から入れて、上部で密封する方法、（３）内枠に対して縦方向に制御装置部分にシートを巻きつけテープで封印する方法、（４）シートを分割して制御装置部分に巻きつけてテープで封印する方法、（５）制御装置部分にテープのみを巻きつける方法が提案されている（例えば、特許文献２参照）。
【０００５】
しかし、特許文献２に記載されたパチンコ機の包装方法では、作業性や不正改造発見の観点で欠点がある。例えば、（１）、（３）又は（４）の各方法では、ビニールシートを伸張して内枠に巻きつけるため、シートの伸張強度が強すぎるとシートの破れや不正改造保護部分の破損を生じる可能性があり、弱すぎると不正改造保護部分への密着性が不足し、元の包装状態と見分けがつかないように再包装を行うことが容易になってしまうという欠点がある。また、（２）又は（５）の方法についても、元の包装状態と略同様の外観を呈するように再包装を行うことが比較的容易であるという欠点がある。
【０００６】
そこで、本出願人は、このような問題点に鑑みて、特願２００３−３１７５８８号において、メイン基板等の遊技機の制御を行う部分の少なくとも一部を覆うように、熱可塑性材料からなる包装用シートを遊技機の外周に被着するシート被着工程と、遊技機の外周に被着された包装用シートの少なくとも一部に熱風の吹きつけ等による熱処理を施す熱処理工程とを備えた遊技機の包装方法を提案している。さらに、本出願人は、特願２００４−３２５３４０号において、この包装方法を実施するための包装装置を提案している。そして、これら本出願人提案による遊技機の包装方法及び包装装置によれば、包装用シートの被熱処理部分が収縮して遊技機の外周形状に沿って略密着するため、包装用シートを一旦切断・開封して、遊技機の制御を行う部分等に不正改造を行った後、元の包装状態と全く見分けがつかないように再包装することは不可能であり、不正改造の発見をより確実にすると共に、不正改造の未然防止を図ることができる。
【特許文献１】特開２００３−９３６２３号公報
【特許文献２】特開２００２−５２１５７号公報
【発明の開示】
【発明が解決しようとする課題】
【０００７】
しかしながら、包装装置のトラブル等に起因して、熱処理が行われている遊技機の搬送が停止した場合に、役物カバーやメイン基板ボックス等が長時間に亘って高温に曝され、これらの樹脂部材が溶融して破損を生じる可能性がある。すなわち、包装用シートを確実に熱収縮させるためには包装用シートに吹きつける熱風の温度を２００℃〜４００℃程度とする必要があり、搬送停止により遊技機の特定箇所への熱風の吹きつけが長時間に亘って継続すると、ＡＢＳ（アクリロニトリル−ブタジエン−スチレン）樹脂等の熱可塑性樹脂により構成される役物カバーやメイン基板ボックス等の樹脂部材が溶融温度以上となって溶融し始める事態が起こりうるという問題がある。
【０００８】
解決しようとする課題は、熱可塑性の包装用シートを熱収縮包装するための熱処理において長時間に亘り高温に曝された場合にも樹脂部材の溶融による破損が生じない遊技機を提供することである。
【課題を解決するための手段】
【０００９】
以下、上記課題を解決するのに適した各手段につき、必要に応じて作用効果等を付記しつつ説明する。
【００１０】
１．  熱可塑性の包装用シートによる熱収縮包装が施される遊技機であって、
外周に被着された前記包装用シートを熱収縮させる熱処理において高温に曝される一つ又は複数の樹脂部材の少なくとも一部を耐熱性樹脂により構成したことを特徴とする遊技機。
手段１によれば、外周に被着された熱可塑性の包装用シートを熱収縮させる熱処理において高温に曝される一つ又は複数の樹脂部材の少なくとも一部が耐熱性樹脂により構成されているので、包装装置のトラブル等に起因して当該樹脂部材が長時間に亘って高温に曝された場合でも溶融して破損することがない。
【００１１】
２．  前記樹脂部材には、遊技機背面に設けられた制御基板を覆う被覆部材が含まれ、その被覆部材の少なくとも一部を耐熱性樹脂により構成したことを特徴とする手段１に記載の遊技機。
手段２によれば、制御基板を覆う被覆部材の少なくとも一部が耐熱性樹脂により構成されているので、被覆部材が長時間に亘って高温に曝された場合でも溶融して破損することがない。
【００１２】
３．  前記被覆部材には、ＬＥＤ基板、ランプ制御基板、音声制御基板、液晶パネル制御基板、図柄制御基板、図柄情報基板の少なくとも一つを覆う役物カバーが含まれ、その役物カバーの少なくとも一部を耐熱性樹脂により構成したことを特徴とする手段２に記載の遊技機。
手段３によれば、役物カバーの少なくとも一部が耐熱性樹脂により構成されているので、役物カバーが長時間に亘って高温に曝された場合でも溶融して破損することがない。
【００１３】
４．  前記被覆部材には、主制御基板を収容する主制御基板ボックスが含まれ、その主制御基板ボックスの少なくとも一部を耐熱性樹脂により構成したことを特徴とする手段２又は３に記載の遊技機。
手段４によれば、主制御基板ボックスの少なくとも一部が耐熱性樹脂により構成されているので、主制御基板ボックスが長時間に亘って高温に曝された場合でも溶融して破損することがない。
【００１４】
５．  前記被覆部材には、遊技機背面に設けられた払出制御基板を収容する払出制御基板ボックスが含まれ、その払出制御基板ボックスの少なくとも一部を耐熱性樹脂により構成したことを特徴とする手段２乃至４のいずれかに記載の遊技機。
手段５によれば、払出制御基板ボックスの少なくとも一部が耐熱性樹脂により構成されているので、払出制御基板ボックスが長時間に亘って高温に曝された場合でも溶融して破損することがない。
【００１５】
６．  前記樹脂部材には、遊技機背面に設けられて各種の機構が取り付けられる機構板が含まれ、その機構板の少なくとも一部を耐熱性樹脂により構成したことを特徴とする手段１乃至５のいずれかに記載の遊技機。
手段６によれば、機構板の少なくとも一部が耐熱性樹脂により構成されているので、機構板が長時間に亘って高温に曝された場合でも溶融して破損することがない。
【００１６】
７．  前記樹脂部材には、遊技機背面上部に設けられて払い出し用の遊技球を貯留する遊技球タンクが含まれ、その遊技球タンクの少なくとも一部を耐熱性樹脂により構成したことを特徴とする手段１乃至６のいずれかに記載の遊技機。
手段７によれば、遊技球タンクの少なくとも一部が耐熱性樹脂により構成されているので、遊技球タンクが長時間に亘って高温に曝された場合でも溶融して破損することがない。
【００１７】
８．  遊技球を流下させる遊技領域を設けた遊技板を有し、
前記樹脂部材には、前記遊技板の前面側に設けられる前面枠が含まれ、その前面枠の少なくとも一部を耐熱性樹脂により構成したことを特徴とする手段１乃至７のいずれかに記載の遊技機。
手段８によれば、前面枠の少なくとも一部が耐熱性樹脂により構成されているので、前面枠が長時間に亘って高温に曝された場合でも溶融して破損することがない。
【００１８】
９．  遊技球を流下させる遊技領域を設けた遊技板を有し、
前記樹脂部材には、前記遊技板が取り付けられる本体枠の前面下部が含まれ、その本体枠前面下部の少なくとも一部を耐熱性樹脂により構成したことを特徴とする手段１乃至８のいずれかに記載の遊技機。
手段９によれば、本体枠前面下部の少なくとも一部が耐熱性樹脂により構成されているので、本体枠前面下部が長時間に亘って高温に曝された場合でも溶融して破損することがない。
【００１９】
１０．  遊技球を流下させる遊技領域を設けた遊技板を有し、
前記樹脂部材には、前記遊技板の前面側に設けられる前面枠において遊技領域を臨むガラスの周囲に配設された装飾ランプのランプカバーが含まれ、その装飾ランプのランプカバーの少なくとも一部を耐熱性樹脂により構成したことを特徴とする手段１乃至９のいずれかに記載の遊技機。
手段１０によれば、装飾ランプのランプカバーの少なくとも一部が耐熱性樹脂により構成されているので、装飾ランプが長時間に亘って高温に曝された場合でも溶融して破損することがない。
【００２０】
１１．  遊技球を流下させる遊技領域を設けた遊技板を有し、
前記樹脂部材には、遊技機前面に設けられ、前記遊技板における入賞態様に応じて払い出された遊技球及び遊技者が投入した遊技球を発射機構へ供給する上皿が含まれ、その上皿の少なくとも一部を耐熱性樹脂により構成したことを特徴とする手段１乃至１０のいずれかに記載の遊技機。
手段１１によれば、上皿の少なくとも一部が耐熱性樹脂により構成されているので、上皿が長時間に亘って高温に曝された場合でも溶融して破損することがない。
【００２１】
１２．  前記樹脂部材には、遊技機前面に設けられて遊技球を貯留する下皿が含まれ、その下皿の少なくとも一部を耐熱性樹脂により構成したことを特徴とする手段１乃至１１のいずれかに記載の遊技機。
手段１２によれば、下皿の少なくとも一部が耐熱性樹脂により構成されているので、下皿が長時間に亘って高温に曝された場合でも溶融して破損することがない。
【００２２】
１３．  前記樹脂部材には、遊技機前面下部に設けられて遊技者によって回動操作される遊技球発射用の発射ハンドルが含まれ、その発射ハンドルの少なくとも一部を耐熱性樹脂により構成したことを特徴とする手段１乃至１２のいずれかに記載の遊技機。
手段１３によれば、発射ハンドルの少なくとも一部が耐熱性樹脂により構成されているので、発射ハンドルが長時間に亘って高温に曝された場合でも溶融して破損することがない。
【００２３】
１４．  複数種類の図柄が表示された複数の回転リールを有し、
前記樹脂部材には、前記回転リールの図柄を視認可能な表示窓を設けたフロントパネルが含まれ、そのフロントパネルの少なくとも一部を耐熱性樹脂により構成したことを特徴とする手段１乃至７のいずれかに記載の遊技機。
手段１４によれば、フロントパネルの少なくとも一部が耐熱性樹脂により構成されているので、フロントパネルが長時間に亘って高温に曝された場合でも溶融して破損することがない。
【００２４】
１５．  複数種類の図柄が表示された複数の回転リールとその回転リールの図柄を視認可能な表示窓を設けたフロントパネルとを有し、
前記樹脂部材には、前記フロントパネルに設けられる装飾ランプのランプカバーが含まれ、その装飾ランプのランプカバーの少なくとも一部を耐熱性樹脂により構成したを特徴とする手段１乃至７又は手段１４のいずれかに記載の遊技機。
手段１５によれば、装飾ランプのランプカバーの少なくとも一部が耐熱性樹脂により構成されているので、装飾ランプのランプカバーが長時間に亘って高温に曝された場合でも溶融して破損することがない。
【００２５】
１６．  複数種類の図柄が表示された複数の回転リールを有し、
前記樹脂部材には、前記回転リールの回転起動操作を行うスタートレバーの握り部が含まれ、そのスタートレバーの握り部の少なくとも一部を耐熱性樹脂により構成したことを特徴とする手段１乃至７、手段１４又は１５のいずれかに記載の遊技機。
手段１６によれば、スタートレバーの握り部の少なくとも一部が耐熱性樹脂により構成されているので、スタートレバーの握り部が長時間に亘って高温に曝された場合でも溶融して破損することがない。
【００２６】
１７．  複数種類の図柄が表示された複数の回転リールとその回転リールの図柄を視認可能な表示窓を設けたフロントパネルとを有し、
前記樹脂部材には、前記フロントパネルに設けられる一つ又は複数のスイッチが含まれ、そのスイッチの少なくとも一部を耐熱性樹脂により構成したことを特徴とする手段１乃至７又は手段１４乃至１６のいずれかに記載の遊技機。
手段１７によれば、スイッチの少なくとも一部が耐熱性樹脂により構成されているので、スイッチが長時間に亘って高温に曝された場合でも溶融して破損することがない。
【００２７】
１８．  複数種類の図柄が表示された複数の回転リールとその回転リールの図柄を視認可能な表示窓を設けたフロントパネルとを有し、
前記樹脂部材には、前記フロントパネルに取り付けられる化粧パネルが含まれ、その化粧パネルの少なくとも一部を耐熱性樹脂により構成したことを特徴とする手段１乃至７又は手段１４乃至１７のいずれかに記載の遊技機。
手段１８によれば、化粧パネルの少なくとも一部が耐熱性樹脂により構成されているので、化粧パネルが長時間に亘って高温に曝された場合でも溶融して破損することがない。
【００２８】
１９．  複数種類の図柄が表示された複数の回転リールを有し、
前記樹脂部材には、前記各回転リールの回転停止時の図柄の組合わせに基づく入賞態様に応じて払い出された遊技メダルを受けて貯留するメダル受皿が含まれ、そのメダル受皿の少なくとも一部を耐熱性樹脂により構成したことを特徴とする手段１又は手段１４乃至１８のいずれかに記載の遊技機。
手段１９によれば、メダル受皿の少なくとも一部が耐熱性樹脂により構成されているので、メダル受皿が長時間に亘って高温に曝された場合でも溶融して破損することがない。
【００２９】
２０．  前記樹脂部材には、正面側に開口する箱状に形成されると共に、複数種類の図柄が表示された複数の回転リールが収容される本体キャビネットが含まれ、その本体キャビネットの少なくとも一部を耐熱性樹脂により構成した手段１又は手段１４乃至１９のいずれかに記載の遊技機。
手段２０によれば、本体キャビネットの少なくとも一部が耐熱性樹脂により構成されているので、本体キャビネットが長時間に亘って高温に曝された場合でも溶融して破損することがない。
【００３０】
２１．  複数種類の図柄が表示された複数の回転リールを有し、
前記樹脂部材には、前記各回転リールの回転停止時の図柄の組合わせに基づく入賞態様に応じて払い出された遊技球を受けて貯留する遊技球受皿が含まれ、その遊技球受皿の少なくとも一部を耐熱性樹脂により構成したことを特徴とする手段１乃至７又は手段１４乃至１８のいずれかに記載の遊技機。
手段２１によれば、遊技球受皿の少なくとも一部が耐熱性樹脂により構成されているので、遊技球受皿が長時間に亘って高温に曝された場合でも溶融して破損することがない。
【００３１】
２２．  前記遊技機はパチンコ機であることを特徴とする手段１乃至１３のいずれかに記載の遊技機。
手段２２によれば、外周に被着された熱可塑性の包装用シートを熱収縮させる熱処理において高温に曝されるパチンコ機の一つ又は複数の樹脂部材の少なくとも一部が耐熱性樹脂により構成されているので、包装装置のトラブル等に起因して当該樹脂部材が長時間に亘って高温に曝された場合でも溶融して破損することがない。
【００３２】
２３．  前記遊技機は、スロットマシンであることを特徴とする手段１又は手段１４乃至２０のいずれかに記載の遊技機。
手段２３によれば、外周に被着された熱可塑性の包装用シートを熱収縮させる熱処理において高温に曝されるスロットマシンの一つ又は複数の樹脂部材の少なくとも一部が耐熱性樹脂により構成されているので、包装装置のトラブル等に起因して当該樹脂部材が長時間に亘って高温に曝された場合でも溶融して破損することがない。
【００３３】
２４．  前記遊技機は、複数種類の図柄が表示された複数の回転リールを有し、前記各回転リールの回転停止時の図柄の組合わせに基づく入賞態様に応じて遊技球が払い出されるパチロット機であることを特徴とする手段１乃至７、手段１４乃至１８、又は手段２１のいずれかに記載の遊技機。
手段２４によれば、外周に被着された熱可塑性の包装用シートを熱収縮させる熱処理において高温に曝されるパチロット機の一つ又は複数の樹脂部材の少なくとも一部が耐熱性樹脂により構成されているので、包装装置のトラブル等に起因して当該樹脂部材が長時間に亘って高温に曝された場合でも溶融して破損することがない。
【００３４】
２５．  前記耐熱性樹脂は、熱硬化性樹脂であることを特徴とする手段１乃至２４のいずれかに記載の遊技機。
手段２５によれば、包装用シートの熱処理において高温に曝される一つ又は複数の樹脂部材の少なくとも一部が熱硬化性樹脂により構成されているので、包装装置のトラブル等に起因して当該樹脂部材が長時間に亘って高温に曝された場合でも溶融して破損することがない。
【００３５】
２６．  前記熱硬化性樹脂は、エポキシ系樹脂、フェノール系樹脂、メラミン系樹脂又は尿素系樹脂のいずれかであることを特徴とする手段２５に記載の遊技機。
手段２６によれば、熱処理において高温に曝される一つ又は複数の樹脂部材の少なくとも一部がエポキシ系樹脂、フェノール系樹脂、メラミン系樹脂又は尿素系樹脂のいずれかの熱硬化性樹脂により構成されているので、当該樹脂部材が長時間に亘って高温に曝された場合でも溶融して破損することがない。
【発明の効果】
【００３６】
本発明によれば、外周に被着された熱可塑性の包装用シートを熱収縮させる熱処理において高温に曝される一つ又は複数の樹脂部材の少なくとも一部が耐熱性樹脂により構成されているので、包装装置のトラブル等に起因して当該樹脂部材が長時間に亘って高温に曝された場合でも溶融して破損することがない。
【発明を実施するための最良の形態】
【００３７】
以下、本発明の遊技機の各実施形態について、図面を参照しつつ説明する。最初に、第一の実施形態である遊技機Ｐ１の概略構成について図１乃至図３を参照しつつ説明する。遊技機Ｐ１は、図１乃至図３に示すように、外枠１０、本体枠２０、遊技板３０、前面枠６０及び機構板８０を備えて構成されるパチンコ機である。なお、図１は遊技機Ｐ１を正面から見て示す正面図であり、図２は図１の遊技機Ｐ１を上面から見て示す上面図であり、図３は図１の遊技機Ｐ１を背面から見て示す背面図であるが、実際の出荷時にはガラス枠６１の背面に出荷時用の所定の紙が挿入されており、遊技領域３１は隠れた状態となっている。
【００３８】
外枠１０は、遊技機Ｐ１のベースとなる枠であり、板材により全体として矩形状に構成され、矩形板状の本体枠２０よりも僅かに大きいサイズの矩形開口１０ａを有している。本体枠２０は、遊技板３０が取り付けられる枠であり、図３において矩形開口１０ａの左端にて枢支されており、図示しない回転軸を中心に回動し、外枠１０に対して開閉可能かつ着脱可能に装着される。また、本体枠２０の前面下部２０ａは、耐熱性樹脂により構成されている。ここで、耐熱性樹脂は、好ましくは熱硬化性樹脂であり、具体的には、エポキシ系樹脂、フェノール系樹脂、メラミン系樹脂又は尿素系樹脂等である。また、耐熱性樹脂の耐熱温度は、好ましくは９０℃以上、より好ましくは１００℃以上、さらに好ましくは１５０℃以上である。
【００３９】
遊技板３０は、前面では、図３において下端中央から右巻きに概略一回転する外枠レールに取り囲まれる略円形の領域が遊技球を流下させる遊技領域３１となっている。この遊技領域３１には、多数の釘や、複数の入賞口や、入賞しなかった遊技球をアウト球として回収するアウト球回収口や、遊技の状況を表示する表示装置などが配設されている。
【００４０】
前面枠６０は、遊技板３０の前面側に設けられる耐熱性樹脂製の枠であり、図３において本体枠２０の左端にて枢支される。耐熱性樹脂は、本体枠前面下部２０ａを構成する樹脂と同様の材質である（他の耐熱性樹脂製の部材も同様）。前面枠６０には、遊技領域３１を臨むガラス枠６１、ガラス枠６１の周囲を取り囲むように配置される装飾ランプ６２、上皿６３が設けられており、遊技板３０の前面側となるように本体枠２０に取り付けられる。装飾ランプ６２は、図示しない電球と、電球を覆うように取り付けられ、電球の光を透過可能な耐熱性樹脂製のランプカバー６２ａとから構成される。また、上皿６３は、払い出された遊技球及び遊技者が投入した遊技球を発射機構４０へ供給する耐熱性樹脂からなる受皿部材である。本体枠２０の下部には、遊技球の発射機構４０と、概略矩形形状に形成された樹脂製流路板５０とが取り付けられる。また、流路板５０の前面側にて下皿７０が本体枠２０下部に枢支されて取り付けられる。下皿７０は、上皿６３より誘導された遊技球を受けて貯留する耐熱性樹脂からなる受皿部材である。さらに、本体枠前面下部２０ａには、発射機構４０の一部を構成する発射ハンドル４１が取り付けられる。発射ハンドル４１は、耐熱性樹脂により構成され、遊技球を発射するために遊技者の手により回動操作される。
【００４１】
機構板８０は、耐熱性樹脂により構成されており、本体枠２０の背面側に設けられたヒンジ金具により支持されて取り付けられる。同機構板８０は、遊技板３０を背面側から覆うカバーの役割を果たすとともに、遊技球タンク８１に貯留された遊技球を上皿６３や下皿７０に払い出す遊技球の流路としての役割も果たすようになっている。遊技球タンク８１は、遊技機背面の機構板８０上部に設けられて払い出し用の遊技球を貯留する耐熱性樹脂からなるタンク部材である。機構板８０の中央から上部には、図示しないＬＥＤ基板、ランプ制御基板、音声制御基板、液晶パネル制御基板、図柄制御基板、図柄情報基板等が設けられ、これらの基板を覆うように、透明の耐熱性樹脂からなる役物カバー８５が取り付けられている。また、役物カバー８５の下方には、透明の耐熱性樹脂からなるメイン基板ボックス８２が設けられており、同基板ボックス８２には遊技板の種類に応じたＲＯＭ８３や図示しないＣＰＵやＲＡＭ等を備えるメイン基板８４が収容されている。また、メイン基板ボックス８２の下方には、透明の耐熱性樹脂からなる払出制御基板ボックス８６が設けられており、同基板ボックス８６には図示しない払出制御基板８７が収容されている。尚、メイン基板ボックス８２が、本発明の主制御基板ボックスを、メイン基板ボックス８２、役物カバー８５、払出制御基板ボックス８６が被覆部材をそれぞれ構成するものである。
【００４２】
次に、遊技機Ｐ１の熱収縮包装に用いる包装装置１０１の構成について図４及び図５を参照しつつ説明する。ここで、図４は、包装装置１０１の全体構成を示す正面図であり、図５は、遊技機Ｐ１が第１コンベア装置１１３によって搬送される状態を示す包装装置１０１の平面図である。尚、図４は、遊技機Ｐ１は遊技機背面側を正面とする横向きの起立状態で搬送される状態を表わしており、図５では、機枠１１５，支柱１２５等の図示を省略している（図７も同様）。
【００４３】
包装装置１０１は、図４に示されるように、シート被着機構１１１と、熱処理機構１５１と、シート被着機構１１１及び熱処理機構１５１の各部と電気的に接続され、装置全体の動作制御を行う制御装置１９１とから構成される。以下、シート被着機構１１１及び熱処理機構１５１の詳細構成について順に説明する。
【００４４】
シート被着機構１１１は、遊技機Ｐ１の制御を行う部分の少なくとも一部を覆うように、包装用シートＳを遊技機Ｐ１の外周に被着するための装置であり、図４及び図５に示されるように、シート供給機構１１２と、第１コンベア装置１１３と、熱溶着切断機構１１４とから構成されている。
【００４５】
シート供給機構１１２には、機枠１１５の上流側端部近傍に第１コンベア装置１１３を挟んで一対の回転軸１１６，１１６が回転自在に立設されている。そして、回転軸１１６，１１６に、包装用シートＳを巻き込んだシートロールＲの中空軸をそれぞれ嵌め込むことにより、一対のシートロールＲ，Ｒが縦置きで回転自在に設けられる。
【００４６】
ここで、包装用シートＳは、熱可塑性材料、好ましくは、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロン等の熱可塑性樹脂からなる長尺状のシートである。包装用シートＳの幅は、役物カバー８５、メイン基板ボックス８２及び払出し制御基板ボックス８６の全体を覆うことができるように、役物カバー８５の上端から払出し制御基板ボックス８６下端までの長さよりも若干長く設定されることが好ましい。
【００４７】
また、送りローラ１１７，１１７及び１１８，１１８は、シートロールＲ，Ｒの下流側近傍に設けられ、一方の送りローラ１１８，１１８を図示しないモータ制御装置により回転駆動するように設けられている。また、複数（図５では３個）の中間ローラ１１９，１１９、及び第１コンベア装置１１３の下流側端部近傍に設けられた一対のガイドローラ１２０，１２０は、それぞれ回転自在に設けられている。そして、シート供給機構１１１は、図５に示すように、送りローラ１１７，１１７及び１１８，１１８が図示しないモータ装置の回転制御によってシートロールＲからシートＳを繰り出し、中間ローラ１１９を経てガイドローラ１２０側に供給する。  
【００４８】
第１コンベア装置１１３は、公知のベルトコンベア装置であり、横向き起立姿勢の遊技機Ｐ１を上流側から搬入する。第１コンベア装置１１３は、図示しない電動モータにより駆動される駆動ローラ軸１２１を回転自在に設け、その駆動ローラ軸１２１に細長い搬送フレーム１２２の一端部を相対回転可能に設ける。そして、その搬送フレーム１２２の下流側端部のローラ１２３と駆動ローラ軸１２１とに無端状の搬送ベルト１２４が掛け渡され、その搬送ベルト１２４上に載置された遊技機Ｐ１を装置下流側へ搬送する。
【００４９】
熱溶着切断機構１１４は、シート供給機構１１２から供給されるシートＳ，Ｓを、遊技機Ｐ１の搬送方向前方側及び後方側でそれぞれ重ね合わせて縦方向に熱溶着し且つ溶着箇所の中間で切断する装置である。熱溶着切断機構１１４は、第１コンベア装置１１３の下流側端部近傍に設けられ、図４に示すように、第１コンベア装置１１３を挟んで左右両側の支柱１２５，１２５に、上下に配置されたガイドロッド１２６が水平方向に進退自在に設けられ、その支柱１２５に取り付けた空圧シリンダ１２７のロッドの先端部が、それらのガイドロッド１２６先端のベース部分に固定する。対向状に配置された一方のベース部分には、２列の縦長の熱溶着バー１２９を取り付け、他方のベース部分に取り付けた熱溶着バー１３１の内面に切断用ヒーター線１３２を縦方向に張設する。そして、一対の熱溶着バー１２９，１３１は、各空圧シリンダ１２７，１２７により開閉自在に設けられ、それら熱溶着バー１２９，１３１を閉じて包装用シートＳに熱溶着を施すと共に、その溶着箇所の中間を切断用ヒーター線１３２により切断するように構成される。
【００５０】
熱処理機構１５１は、第２コンベア装置１５２と、第３コンベア装置１５３と、熱風発生装置１５４と、第１送風管１６１〜第８送風管１６８と、第１ノズル１７１〜第８ノズル１７８とから構成されている。
【００５１】
第２コンベア装置１５２は、第１コンベア装置１１３の装置下流側に設けられ、遊技機Ｐ１を熱溶着切断位置Ｈ１から熱処理位置Ｈ３まで搬送するために設けられた公知のベルトコンベア装置である。
第３コンベア装置１５３は、第２コンベア装置１５２の下流側に設けられ、熱処理位置Ｈ３から下流側へ搬送するために設けられた公知のベルトコンベア装置である。尚、第２コンベア装置１５２及び第３コンベア装置１５３は、第１コンベア装置１１３と同様の構成であるので、詳細説明を省略する。
【００５２】
熱風発生装置１５４は、図示しない電動ファンとヒータとを内蔵して熱風を発生する装置であり、発生した熱風を送出するための第１送風管１６１〜第８送風管１６８が接続されおり、第１送風管１６１〜第８送風管１６８の先端に第１ノズル１７１〜第８ノズル１７８が設けられている。従って、熱風発生装置１５４は、電動ファンを駆動させることにより周囲から吸い込まれた空気がヒータによって熱せられ、第１送風管１６１〜第８送風管１６８へ送出されて、第１ノズル１７１〜第８ノズル１７８から熱風として吹き出すようになっている。
【００５３】
ここで、第１ノズル１７１〜第８ノズル１７８の配設位置について説明する。第１ノズル１７１〜第２ノズル１７２は、遊技機Ｐ１の搬送方向において、第２コンベア装置１５２の上流側端部からやや下流寄りの位置（予備熱処理位置Ｈ２）に、第３ノズル１７３〜第８ノズル１７８は、第２コンベア装置１５２の下流側端部と第３コンベア装置１５３の上流側端部との間の位置（熱処理位置Ｈ３）にそれぞれ設けられる。
【００５４】
そして、第１ノズル１７１は、遊技機Ｐ１が第２コンベア装置１５２上を搬送される状態において、遊技機Ｐ１前面側上部に向かって熱風を吹きつけ可能な位置に設けられる。また、同様の状態で、第２ノズル１７２は、遊技機Ｐ１背面側上部に向かって熱風を吹きつけ可能な位置に設けられる。
【００５５】
第３ノズル１７３は、遊技機Ｐ１が第２コンベア装置１５２上から第３コンベア装置１５３上へ搬送される状態において、遊技機Ｐ１の前面上部に向かって熱風を吹きつけ可能な位置に設けられ、同様の状態において、第４ノズル１７４は、遊技機Ｐ１前面の上皿６３と下皿７０との間に向かって、第５ノズル１７５は、遊技機Ｐ１前面下部に向かってそれぞれ熱風を吹きつけ可能な位置に設けられる。
【００５６】
一方、第６ノズル１７６は、遊技機Ｐ１が第２コンベア装置１５２から第３コンベア装置１５３にかけて搬送される状態において、遊技機Ｐ１の背面上部に向かって熱風を吹きつけ可能な位置に設けられ、同様の状態において、第７ノズル１７７は、遊技機Ｐ１背面のメイン基板ボックス８２と払出し制御基板８６との間に向かって、第８ノズル１７８は、遊技機Ｐ１背面下部に向かってそれぞれ熱風を吹きつけ可能な位置に設けられる。
【００５７】
尚、熱風発生装置１５４は、第１送風管１６１〜第２送風管１６２を介して第１ノズル１７１〜第２ノズル１７２へ送出される熱風の温度と、第３送風管１６３〜第８送風管１６８を介して第３ノズル１７３〜第８ノズル１７８へ送出される熱風の温度とを制御装置１９１において個別に設定可能に構成されている。すなわち、予備熱処理位置Ｈ２に設けられた第１ノズル１７１〜第２ノズル１７２から吹き出される熱風の温度は、例えば、１５０℃程度に設定され、熱処理位置Ｈ３に設けられた第３ノズル１７３〜第８ノズル１７３から吹き出される熱風の温度は、例えば、３００℃程度に設定される。ここで、第１〜第２ノズル１７１〜１７２から吹き出される熱風の温度が相対的に低く設定されるのは、予備熱処理位置Ｈ２における熱風の吹きつけは、遊技機Ｐ１に緩く巻きつけられた包装用シートＳがずり落ちない程度に熱収縮させればよいため比較的低温で十分だからである。一方、第３ノズル１７３〜第８ノズル１７８から吹き出される熱風の温度が相対的に高く設定されるのは、熱処理位置Ｈ３における熱風の吹きつけは、包装用シートＳを十分に熱収縮させて遊技機Ｐ１に強固に密着させるため、ある程度高温とする必要があるからである。
【００５８】
次に、包装装置１０１により遊技機Ｐ１に包装を実施する際における作用について図５〜図１０を参照しつつ説明する。本装置１０１の上流側から第１コンベア装置１１３へ遊技機Ｐ１が投入され、搬送ベルト１２４上に載置された遊技機Ｐ１が第１コンベア装置１１３の下流側端部まで搬送されると、包装用シートＳ，Ｓは熱溶着切断機構１１４の一対の熱溶着バー１２９，１３１が閉じることによって熱溶着が施され、同時に熱溶着部分の中間が切断用ヒータ線１３２によって切断される（図５参照）。これにより、当該遊技機Ｐ１を包装するための包装用シートＳ，Ｓが、先行して搬送される遊技機を包装するための包装用シートから分離される。そして、熱溶着により接合され且つガイドローラ１２０，１２０によって張設された包装用シートＳ，Ｓが、遊技機Ｐ１の搬送方向先端側の側面に当接し、遊技機Ｐ１が搬送ベルト１２４上を搬送されるのに伴って、包装用シートＳ，Ｓがシート供給機構１１２を介してシートロールＲ，Ｒからそれぞれ繰り出されて遊技機Ｐ１側へ供給されることにより、遊技機Ｐ１の前面側及び背面側が包装用シートＳ，Ｓによって徐々に覆われていく。
【００５９】
このとき、遊技機Ｐ１外周に緩く巻きつけられた包装用シートＳの上部は、予備熱処理位置Ｈ２を通過する際に、第１ノズル１７１及び第２ノズル１７２によって所定温度（例えば、約１５０℃）の熱風が吹きつけられて収縮する。尚、以下の説明において、包装用シートＳへの第１ノズル１７１及び第２ノズル１７２による熱風の吹きつけを「予備熱処理」と称し、後述する第３ノズル１７３〜第８ノズル１７８による熱風の吹きつけを単に「熱処理」と称することにより、両者を区別することとする。図６は、当該遊技機Ｐ１に巻きつけられた包装用シートへ予備熱処理が施される様子を表わす搬送方向前方側から視た図である。
【００６０】
遊技機Ｐ１が第１コンベア装置１１３上から第２コンベア装置１５２上へ移り、遊技機Ｐ１の搬送方向後方側の側面が熱溶着位置Ｈ１を通過すると、包装用シートＳ，Ｓは熱溶着機構１１４の一対の熱溶着バー１２９，１３１が閉じることによって遊技機Ｐ１の搬送方向後方側で熱溶着が施され、同時に熱溶着部分の中間が切断用ヒータ線１３２によって切断されることにより筒状に成形される。ここで、遊技機Ｐ１外周に緩く巻きつけられた包装用シートＳの上部は、予備熱処理位置Ｈ２を通過する際に、第１ノズル１７１及び第２ノズル１７２からの熱風の吹きつけによる予備熱処理によって収縮するため、包装用シートＳ，Ｓが切断されてシートロールＲ側の包装用シートＳ，Ｓから分離されても下方へずり落ちることはない。
【００６１】
次に、第２コンベア装置１５２により遊技機Ｐ１が熱処理位置Ｈ３へ搬送されると、図７に示すように、第２コンベア装置１５２及び／又は第３コンベア装置１５３によって遊技機Ｐ１が搬送されながら、第３ノズル１７３〜第８ノズル１７８から遊技機Ｐ１へ被着された包装用シートＳへ所定温度（例えば、約３００℃）の熱風が吹きつけられる。そして、包装用シートＳの熱風が吹きつけられた箇所が熱収縮することにより、包装用シートＳが遊技機外周へ略密着する。図８は、当該遊技機Ｐ１に巻きつけられた包装用シートＳへ熱処理が施される様子を表わす搬送方向前方側から視た図である。
【００６２】
具体的には、図８に示されるように、遊技機Ｐ１に被着された包装用シートＳにおいて、第３ノズル１７３が、遊技機Ｐ１前面の上端近傍を覆う箇所に、第４ノズル１７４が、上皿６３と下皿７０との間を覆う箇所に、第５ノズル１７５が遊技機Ｐ１前面の下端（下皿７０の下端）近傍を覆う箇所に、第６ノズル１７６が遊技機Ｐ１背面の上端近傍（役物カバー８５上端近傍を含む）を覆う箇所に、第７ノズル１７７がメイン基板ボックス８２と払出し制御基板ボックス８６との間を覆う箇所に、第８ノズル１７８が、遊技機Ｐ１背面の下端近傍（払出し制御基板ボックス８６下端近傍を含む）を覆う箇所に、それぞれ熱風を吹きつけることにより、包装用シートＳのそれぞれの箇所が熱収縮して遊技機Ｐ１に略密着する。
【００６３】
ここで、包装装置１０１のトラブル等に起因して遊技機Ｐ１の搬送が停止され、第１ノズル１７１及び第２ノズル１７２による熱風の吹きつけ（予備熱処理）、又は第３ノズル１７３〜第８ノズル１７８による熱風の吹きつけ（熱処理）が長時間継続する事態が発生することも想定されるが、遊技機Ｐ１の背面側においては、機構板８０、役物カバー８５、メイン基板ボックス８２、払出制御基板ボックス８６が、それぞれ耐熱性樹脂により構成されているので、各部材が長時間に亘って高温の熱風に曝された場合でも溶融して破損することがない。また、遊技機Ｐ１の前面側においては、前面枠６０、本体枠前面下部２０ａ、装飾ランプ６２のランプカバー６２ａ、上皿６３、下皿７０、遊技球タンク８１、発射ハンドル４１が、それぞれ耐熱性樹脂により構成されているので、各部材が長時間に亘って高温の熱風に曝された場合でも溶融して破損することがない。
【００６４】
次いで、遊技機Ｐ１は第３コンベア装置１５３により下流側へ搬送される間に常温で冷却されて包装用シートＳの熱収縮部分が硬化するので、包装用シートＳの遊技機Ｐ１への略密着状態が保たれる。以上により、包装装置１０１による遊技機Ｐ１への包装が完了する。
【００６５】
図９は、包装が完了した遊技機Ｐ１の側面図である。また、図１０は包装が完了した遊技機Ｐ１の斜視図である。図９、図１０により、遊技機Ｐ１の外周の段差形状に沿って包装用シートＳが略密着していることがわかる。具体的には、包装用シートＳが第３ノズル１７３〜第８ノズル１７８による熱風の吹きつけによる熱処理によって熱収縮して強く張られた状態となり、遊技機Ｐ１前面においては上皿６３及び下皿７０に、背面においてはメイン基板ボックス８２及び払出し制御基板ボックス８６にそれぞれ密着した状態になっている。
【００６６】
以上詳述したことから明らかなように、上述した本実施形態における遊技機Ｐ１によれば、外周に被着された熱可塑性の包装用シートＳを熱収縮させる熱処理において高温に曝される樹脂部材である機構板８０、役物カバー８５、メイン基板ボックス８２、払出制御基板ボックス８６、前面枠６０、本体枠前面下部２０ａ、装飾ランプ６２のランプカバー６２ａ、上皿６３、下皿７０、遊技球タンク８１及び発射ハンドル４１が耐熱性樹脂により構成されているので、包装装置１０１のトラブル等に起因して当該樹脂部材が長時間に亘って高温に曝された場合でも溶融して破損することがない。
【００６７】
次に、本発明の第二の実施形態について、図１１及び１２を参照しつつ説明する。第二の実施形態の遊技機Ｐ２は、スロットマシンであり、図１１に示すように、正面側に開口すると共に、複数種類の図柄が表示された複数（３個）の回転リール２２１が収容される本体キャビネット２２０と、本体キャビネット２２０の前面を覆うように開閉可能に取り付けられ、各回転リール２２１の図柄を視認可能な表示窓を設けたフロントパネル２６０とを備えている。
【００６８】
本体キャビネット２２０は、耐熱性樹脂の成型加工によって正面側に開口する一体的な箱状に形成されている。或いは、本体キャビネット２２０を、天板、左右の側板、底板、裏板などから構成し、例えば、薄板板金素材を切断、孔あけ、曲げ加工等して所定のパネル形状に加工した後、これ等の部材を溶接して図示する正面側に開口する箱状に形成してもよい。
【００６９】
フロントパネル２６０は、耐熱性樹脂の成型加工によって、本体キャビネット２２０の開口部分を覆う扉状に形成される。フロントパネル２６０には、本体キャビネット２２０に収容された左・中・右の回転リール２２１の前面側に対向する位置に、ガラスが嵌め込まれた表示窓２６３が設けられ、各回転リール２２１に表示された図柄が視認可能となっている。フロントパネル２６０上部には装飾ランプ２６２が設けられている。装飾ランプ２６２は、図示しない電球と、電球を覆うように取り付けられ、電球の光を透過可能な耐熱性樹脂製のランプカバー２６２ａとから構成される。
【００７０】
表示窓２６３の下方には、前方に突出する台状の操作部２６４が設けられている。この操作部２６４の上面には、クレジットされている遊技メダルを投入するためのベットスイッチや、クレジットされているメダルを払い出すためのキャンセルスイッチ等を含む各種スイッチ２６５、及び遊技メダルを投入するためのメダル投入口２６６が設けられている。また、操作部２６４の前面には、回転リール２２１の回転起動操作を行うスタートレバー２６７、及び左・中・右の回転リール２２１にそれぞれ対応して設けられたストップスイッチ２６８が設けられている。ここで、各種スイッチ２６５、スタートレバー２６７の先端に設けられた握り部２６７ａ及びストップスイッチ２６８は、それぞれ耐熱性樹脂により構成されている。
【００７１】
フロントパネル２６０上部の装飾ランプ２６２と表示窓２６３との間の領域には、入賞図柄の説明が表示された化粧パネル２７１が、フロントパネル２６０上下方向中央に設けられた操作部２６４の下方の領域には、遊技機Ｐ２の機種名称等が描かれた化粧パネル２７２がそれぞれ取り付けられており、これらの化粧パネル２７１，２７２は耐熱性樹脂により構成されている。
【００７２】
フロントパネル２６０の下部には、各回転リール２２１の回転停止時の図柄の組合わせに基づく入賞態様に応じて払い出された遊技メダルを受けて貯留するメダル受皿２７０が設けられている。メダル受皿２７０は、耐熱性樹脂の成型加工により上面が開口する箱状に形成されている。
【００７３】
次に、包装装置１０１により遊技機Ｐ２に熱収縮包装を実施する場合において、遊技機Ｐ２へ被着された包装用シートＳへ、第３ノズル１７３〜第８ノズル１７８から所定温度（例えば、約３００℃）の熱風が吹きつけられる際の作用について説明する。図１２は、当該遊技機Ｐ２に巻きつけられた包装用シートＳへ熱処理が施される様子を表わす搬送方向前方側から視た図である。図１２に示されるように、遊技機Ｐ２に被着された包装用シートＳにおいて、第３ノズル１７３が、フロントパネル２６０上端の装飾ランプ２６２を覆う箇所に、第４ノズル１７４が、各種スイッチ２６５、スタートレバー２６７及びストップスイッチ２６８が設けられた操作部２６４を覆う箇所に、第５ノズル１７５がフロントパネル２６０下端のメダル受皿２７０を覆う箇所に、第６ノズル１７６が本体キャビネット２２０背面の上端近傍を覆う箇所に、第７ノズル１７７が本体キャビネット２２０背面の上下方向中央を覆う箇所に、第８ノズル１７８が、本体キャビネット２２０背面の下端近傍を覆う箇所に、それぞれ熱風を吹きつけることにより、包装用シートＳのそれぞれの箇所が熱収縮して遊技機Ｐ２に略密着する。
【００７４】
そして、本実施形態の遊技機Ｐ２によれば、フロントパネル２６０、装飾ランプ２６２のランプカバー２６２ａ、化粧パネル２７１，２７２、各種スイッチ２６５、スタートレバー２６７の握り部２６７ａ、メダル受皿２７０、本体キャビネット２２０が、いずれも耐熱性樹脂により構成されているため、包装装置１０１のトラブル等に起因して遊技機Ｐ２の搬送が停止され、第３ノズル１７３〜第８ノズル１７８による熱風の吹きつけ（熱処理）が長時間継続した場合でもこれらの各部材が溶融して破損することがない。
【００７５】
次に、本発明の第三の実施形態について、図１３及び１４を参照しつつ説明する。第三の実施形態の遊技機Ｐ３は、複数種類の図柄が表示された複数の回転リールを有し、各回転リールの回転停止時の図柄の組合わせに基づく入賞態様に応じて遊技球が払い出されるパチロット機である。遊技機Ｐ３は、図１３に示すように、正面側に開口すると共に、複数種類の図柄が表示された複数（３個）の回転リール３２１が収容される本体枠３２０と、本体枠３２０の前面を覆うように開閉可能に取り付けられ、各回転リール３２１の図柄を視認可能な表示窓３６３を設けた耐熱樹脂製のフロントパネル３６０とを備えている。
【００７６】
本体枠３２０の背面側は、上述した第一の実施形態の遊技機Ｐ１と略同様の構成となっており、機構板３８０、役物カバー３８５、メイン基板ボックス３８２、払出制御基板ボックス３８６、遊技球タンク３８１が設けられ、これらの各部材が耐熱性樹脂により構成されている。
【００７７】
また、フロントパネル３６０は、上述した第二の実施形態の遊技機Ｐ２のフロントパネル２６０に類似した構成となっており、上から順に装飾ランプ３６２、入賞図柄の説明が表示された化粧パネル３７１、前方に突出する台状の操作部３６４、各回転リール３２１の回転停止時の図柄の組合わせに基づく入賞態様に応じて払い出される遊技球を受けて貯留する遊技球受皿３７０がそれぞれ設けられている。また、操作部３６４の上面には、クレジットされている遊技球を投入するためのベットスイッチや、クレジットされている遊技球を払い出すためのキャンセルスイッチ等を含む各種スイッチ３６５、及び遊技球を投入するための遊技球投入口２６６が設けられている。また、操作部３６４の前面には、回転リール３２１の回転起動操作を行うスタートレバー３６７、及び左・中・右の回転リール３２１にそれぞれ対応して設けられたストップスイッチ３６８が設けられている。そして、装飾ランプ３６２のランプカバー３６２ａ、化粧パネル３７１、各種スイッチ３６５、スタートレバー３６７の先端に設けられた握り部３６７ａ、ストップスイッチ３６８及び遊技球受皿３７０の各部材は耐熱性樹脂により構成されている。
【００７８】
次に、包装装置１０１により遊技機Ｐ３に熱収縮包装を実施する場合において、遊技機Ｐ３へ被着された包装用シートＳへ、第３ノズル１７３〜第８ノズル１７８から所定温度（例えば、約３００℃）の熱風が吹きつけられる際の作用について説明する。図１４は、当該遊技機Ｐ３に巻きつけられた包装用シートＳへ熱処理が施される様子を表わす搬送方向前方側から視た図である。図１４に示されるように、遊技機Ｐ３に被着された包装用シートＳにおいて、第３ノズル１７３が、フロントパネル３６０上端の装飾ランプ３６２を覆う箇所に、第４ノズル１７４が、各種スイッチ３６５、スタートレバー３６７及びストップスイッチ３６８が設けられた台状の操作部３６４を覆う箇所に、第５ノズル１７５がフロントパネル３６０下端の遊技球受皿３７０を覆う箇所に、第６ノズル１７６が遊技機Ｐ３背面の上端近傍（役物カバー３８５上端近傍を含む）を覆う箇所に、第７ノズル１７７がメイン基板ボックス３８２と払出し制御基板ボックス３８６との間を覆う箇所に、第８ノズル１７８が、遊技機Ｐ３背面の下端近傍（払出し制御基板ボックス３８６下端近傍を含む）を覆う箇所に、それぞれ熱風を吹きつけることにより、包装用シートＳのそれぞれの箇所が熱収縮して遊技機Ｐ３に略密着する。
【００７９】
そして、本実施形態の遊技機Ｐ３によれば、機構板３８０、役物カバー３８５、メイン基板ボックス３８２、払出制御基板ボックス３８６、遊技球タンク３８１、フロントパネル３６０、装飾ランプ３６２のランプカバー３６２ａ、化粧パネル３７１、各種スイッチ３６５、スタートレバー３６７の握り部３６７ａ、ストップスイッチ３６８及び遊技球受皿３７０が、いずれも耐熱性樹脂により構成されているため、包装装置１０１のトラブル等に起因して遊技機Ｐ３の搬送が停止され、第３ノズル１７３〜第８ノズル１７８による熱風の吹きつけ（熱処理）が長時間継続した場合でもこれらの各部材が溶融して破損することがない。
【００８０】
尚、本発明は上述した各実施の形態に限定されるものではなく、本発明の主旨を逸脱しない範囲で種々の変更を施すことが可能である。
例えば、上述した第一の実施形態においては、機構板８０、役物カバー８５、メイン基板ボックス８２、払出制御基板ボックス８６、前面枠６０、本体枠前面下部２０ａ、装飾ランプ６２のランプカバー６２ａ、上皿６３、下皿７０、遊技球タンク８１及び発射ハンドル４１を耐熱性樹脂により構成したが、これら全ての樹脂部材を耐熱性樹脂により構成する必要はなく、これらの内の一部の部材のみを耐熱性樹脂により構成するようにしてもよく、或いは各部材の一部分のみを耐熱性樹脂により構成するようにしてもよい。
【００８１】
また、第二の実施形態においては、本体キャビネット２２０、フロントパネル２６０、装飾ランプ２６２のランプカバー２６２ａ、化粧パネル２７１，２７２、各種スイッチ２６５、スタートレバー２６７の握り部２６７ａ、ストップスイッチ２６８及びメダル受皿２７０を耐熱性樹脂により構成したが、これら全ての樹脂部材を耐熱性樹脂により構成する必要はなく、これらの内の一部の部材のみを耐熱性樹脂により構成するようにしてもよく、或いは各部材の一部分のみを耐熱性樹脂により構成するようにしてもよい。
【００８２】
また、第三の実施形態においては、機構板３８０、役物カバー３８５、メイン基板ボックス３８２、払出制御基板ボックス３８６、遊技球タンク３８１、フロントパネル３６０、装飾ランプ３６２のランプカバー３６２ａ、化粧パネル３７１、各種スイッチ３６５、スタートレバー３６７の握り部３６７ａ、ストップスイッチ２６８及び遊技球受皿３７０を耐熱性樹脂により構成したが、これら全ての樹脂部材を耐熱性樹脂により構成する必要はなく、これらの内の一部の部材のみを耐熱性樹脂により構成するようにしてもよく、或いは各部材の一部分のみを耐熱性樹脂により構成するようにしてもよい。
【００８３】
また、各実施形態において耐熱性樹脂により構成された部材以外であって熱処理の影響を受け易い他の部材についても、耐熱性樹脂により構成するようにしてもよい。
また、熱処理において高温に曝される上述した各樹脂部材を構成する耐熱性樹脂は熱硬化性樹脂に限られず、例えば、耐熱性を向上させた熱可塑性樹脂を採用してもよい。
【産業上の利用可能性】
【００８４】
本発明は、パチンコ機、スロットマシン、パチンコ機とスロットマシンとを融合した遊技機等の不正改造を防止するための包装が必要とされる各種の遊技機へ適用可能である。
【図面の簡単な説明】
【００８５】
【図１】本発明の第一の実施形態の遊技機を示す正面図である。
【図２】図１の遊技機の上面図である。
【図３】図１の遊技機の背面図である。
【図４】遊技機の熱収縮包装に用いる包装装置の正面図である。
【図５】遊技機が包装装置によって熱収縮包装される様子を示す平面図である。
【図６】第１ノズル及び第２ノズルの配設位置及び当該遊技機に巻きつけられた包装用シートへ予備熱処理が施される様子を表わす搬送方向前方側から視た図である。
【図７】遊技機が包装装置によって包装される様子を示す他の平面図である。
【図８】第３ノズル〜第８ノズルの配設位置及び当該遊技機に巻きつけられた包装用シートへ熱処理が施される様子を表わす搬送方向前方側から視た図である。
【図９】熱収縮包装が完了した遊技機の側面図である。
【図１０】熱収縮包装が完了した遊技機の斜視図である。
【図１１】第二の実施形態の遊技機を示す正面図である。
【図１２】第３ノズル〜第８ノズルの配設位置及び第二の実施形態の遊技機に巻きつけられた包装用シートへ熱処理が施される様子を表わす搬送方向前方側から視た図である。
【図１３】第三の実施形態の遊技機を示す正面図である。
【図１４】第３ノズル〜第８ノズルの配設位置及び第三の実施形態の遊技機に巻きつけられた包装用シートへ熱処理が施される様子を表わす搬送方向前方側から視た図である。
【符号の説明】
【００８６】
Ｓ    包装用シート
Ｐ１  遊技機（パチンコ機）
Ｐ２  遊技機（スロットマシン）
Ｐ３  遊技機（パチロット機）
２０  本体枠
２０ａ  本体枠前面下部（樹脂部材）
４１  発射ハンドル（樹脂部材）
６０  前面枠（樹脂部材）
６２  装飾ランプ
６２ａ  ランプカバー（樹脂部材）
６３  上皿（樹脂部材）
７０  下皿（樹脂部材）
８０  機構板（樹脂部材）
８１  遊技球タンク（樹脂部材）
８２  メイン基板ボックス（樹脂部材、被覆部材、主制御基板ボックス）
８５  役物カバー（樹脂部材、被覆部材）
８６  払出制御基板ボックス（樹脂部材、被覆部材）
２２０  本体キャビネット（樹脂部材）
２２１  回転リール
２６０  フロントパネル（樹脂部材）
２６２  装飾ランプ
２６２ａ  ランプカバー（樹脂部材）
２６５  各種スイッチ（スイッチ）
２６７  スタートレバー
２６７ａ  握り部（樹脂部材）
２６８  ストップスイッチ（樹脂部材、スイッチ）
２７０  メダル受皿（樹脂部材）
２７１，２７２  化粧パネル（樹脂部材）
３２０  本体枠
３２１  回転リール
３６０  フロントパネル（樹脂部材）
３６２  装飾ランプ
３６２ａ  ランプカバー（樹脂部材）
３６５  各種スイッチ（樹脂部材、スイッチ）
３６７  スタートレバー
３６７ａ  握り部（樹脂部材）
３６８  ストップスイッチ（樹脂部材、スイッチ）
３７０  遊技球受皿（樹脂部材）
３７１  化粧パネル（樹脂部材）
３８０  機構板（樹脂部材）
３８１  遊技球タンク（樹脂部材）
３８２  メイン基板ボックス（樹脂部材、被覆部材、主制御基板ボックス）
３８５  役物カバー（樹脂部材、被覆部材）
３８６  払出制御基板ボックス（樹脂部材、被覆部材）
【図１】
2005168519.tif 000003
【図２】
2005168519.tif 000004
【図３】
2005168519.tif 000005
【図４】
2005168519.tif 000006
【図５】
2005168519.tif 000007
【図６】
2005168519.tif 000008
【図７】
2005168519.tif 000009
【図８】
2005168519.tif 000010
【図９】
2005168519.tif 000011
【図１０】
2005168519.tif 000012
【図１１】
2005168519.tif 000013
【図１２】
2005168519.tif 000014
【図１３】
2005168519.tif 000015
【図１４】
2005168519.tif 000016